(57)【特許請求の範囲】
【請求項１】
外形およびコンタクトパッドの配置位置が異なる少なくとも２種類のカードを単一のスロットを介して収容可能なカードコネクタであって、
前記各カードの外形に応じて異なる位置に配設され前記各カードの壁面による押圧力によってオンオフされる複数のスイッチのうちの１つのスイッチが所定のカードに形成されたライトプロテクトボタンのオンオフ状態を検出するライトプロテクトスイッチと共用され、
前記複数のスイッチのオンオフの組み合わせを判定することにより、挿入されたカードの種類を認識するようにしたことを特徴とするカードコネクタ。
【請求項２】
外形およびコンタクトパッドの配置位置が異なる少なくとも２種類のカードを単一のスロットを介して収容可能なカードコネクタであって、
前記各カードの外形に応じて異なる位置に配設され前記各カードの壁面による押圧力によってオンオフされる複数のスイッチのオンオフの組み合わせを判定することにより挿入されたカードの種類が認識され、
前記２種類のカードのうちの一方のカードの両側面を案内する一対の第１の側壁によって画成されてこの一方のカードを収容するための第１のカード収容部と、他方のカードの両側面を案内する一対の第２の側壁によって画成されてこの他方のカードを収容するための第２のカード収容部とが、それらの一部が前記２種類のカードで共用されるようにコネクタハウジング内に形成されるとともに、
前記一方のカードのコンタクトパッドと接触する第１のコンタクト端子が、コネクタハウジングの上板または下板の一方側に配設され、他方のカードのコンタクトパッドと接触する第２のコンタクト端子が他方側に配設されることを特徴とするカードコネクタ。
【発明の詳細な説明】
【０００１】
【発明の属する技術分野】
この発明は、携帯電話機、電話機、ＰＤＡ（personal digital assistance）、携帯型オーディオ、カメラ等の電子機器に取り付けられるカードコネクタに関し、さらに詳しくは外形、コンタクトパッド位置の異なる少なくとも２種類の異なるカードを単一のスロットを介して装填させることができるカードコネクタに関する。
【０００２】
【従来の技術】
携帯電話機、電話機、ＰＤＡ、カメラ等の電子機器においては、メモリなどのＩＣが内蔵された、ＳＩＭ（subscriber identity module）カード、ＭＭＣ（multi media card）、スマートメディア（商標）、ＳＤ（secure  digital）カードなどのＩＣカードを装着させることで、各種の機能拡張などを行うようにしている。
【０００３】
このようなＩＣカードを着脱自在に装着するための、コネクタ構造においては、コネクタが装着される電子機器側の各種信号処理回路および電源回路と接続された複数のコンタクト端子をコネクタハウジング内に設け、これら複数のコンタクト端子を、装填されたＩＣカードの表または裏面に形成された複数のコンタクトパッドと接触させ、これらのコンタクトを介してＩＣカードをコネクタが取り付けられた電子機器と電気的に接続するようにしている。
【０００４】
上記の各種カードのうちのスマートメディア（商標）は、他のカードに比べ厚さは薄いが平面サイズは大きく、当然そのコンタクトパッド位置も他のカードとは異なっている。
【０００５】
【発明が解決しようとする課題】
上記したように、この種のＩＣカードには、外形、コンタクトパッド位置の異なる様々なカードが存在しているが、これら複数のカードを装填可能なカードコネクタを考えた場合、各カードを適性に動作させるためには、挿入されたカードの種類を認識するカード種類認識スイッチを設けることが必須となる。
【０００６】
ここで、各カード毎に各別のカード種類認識スイッチを設け、複数のカード種類認識スイッチのうちの挿入されたカードに対応するスイッチのみがオンになるようにスイッチ構造を設定した場合、各カード用のスロットを別々に設け、上記の各カード種類認識スイッチを他の関係のないカードの装填時にはオンとはならないような位置に配設しなくてはならず、結果としてコネクタの占有面積が大きくなるという問題を有している。
【０００７】
この発明はこのような事情を考慮してなされたもので、外形、コンタクトパッド位置の異なる二種類以上の異なるカードを単一のスロットを介して収容可能なカードコネクタにおいて、その占有面積が増大しないように複数のカード用のカード種類認識スイッチを配設することができるカードコネクタを提供することを解決課題とする。
【０００８】
【課題を解決するための手段】
この発明の一形態では、外形およびコンタクトパッドの配置位置が異なる少なくとも２種類のカードを単一のスロットを介して収容可能なカードコネクタであって、前記各カードの外形に応じて異なる位置に配設され前記各カードの壁面による押圧力によってオンオフされる複数のスイッチのうちの１つのスイッチが所定のカードに形成されたライトプロテクトボタンのオンオフ状態を検出するライトプロテクトスイッチと共用され、前記複数のスイッチのオンオフの組み合わせを判定することにより、挿入されたカードの種類を認識するようにしたことを特徴とする。
【０００９】
この発明では、各カードの外形に応じて配設した複数のスイッチのオンオフの組み合わせを判定することにより挿入されたカードの種類を認識できるようにしているので、例えばある１つのスイッチは複数種類のカードでオンされるように配設しても、他のスイッチのオンオフ状態でカードの種類およびカード装填の有無を検出できるようになる。したがって、全てのスイッチを各カードに対応して異なる位置に配設しなくてもよくなり、コネクタの占有面積を小さくすることでき、各種電子機器の小型化に寄与する。
【００１０】
【発明の実施の形態】
以下この発明の実施形態を添付図面にしたがって詳細に説明する。
【００１１】
まず、以下に示す実施形態のカードコネクタが装填可能な二種類のカードに関して説明する。
【００１２】
図１は、厚型カード２０の例としてのＳＤカードを裏面から見た外観を示している。
【００１３】
この厚型カード２０は厚さｔの上側本体部２１を有し、上側本体部２１の右先端部には誤挿入防止のための面取り部２２を有している。上側本体部２１の裏面側には、上側本体部２１より僅かに幅が狭い下側本体部２３が形成されている。すなわち、このカード２０は、両側端部に上側本体部２１の底面および下側本体部２３の底面による段差２７がカード側端に沿って形成された二段構造となっている。下側本体部２３の先端側には複数の凹部２４が形成されており、これらの凹部２４の底面に接触パッド２５が配設されている。カード２０の側面には、ライトプロテクトボタン２６が設けられている。
【００１４】
図２は、薄型カード３０の例としてのスマートメディア（商標）を示すものである。
【００１５】
この薄型カード３０は、厚型カード２０に比べるとその平面サイズは大きいが厚さが薄いカード本体３１を有している。カード３０の先端側には、複数のコンタクトパッドが配列されたコンタクトエリア３２が配されている。カード３０の先端の一方の角部には、誤挿入防止のための面取り部３３が形成されている。３４は、ライトプロテクトパッドである。このように、この薄型カード３０は厚型カード２０と比べると、その外形、平面サイズ、厚さ、コンタクトパッドの配置位置が全く異なっている。
【００１６】
つぎに、図３〜図１６にしたがってこの発明に係るカードコネクタの実施形態について説明する。
【００１７】
図３はカードコネクタ１の外観構成を示す斜視図であり、図４はコネクタの内側上面壁（ハウジング上板の内壁面）が見えるようにコネクタ上部側を平面的に断面した図であり、図５はコネクタの内側下面壁（ハウジング下板の内壁面）が見えるようにコネクタ上部側を平面的に断面した図である。図６は厚型カード２０が装填されたときの正面図、図７は薄型カード３０が装填されたときの正面図、図８は厚型カード２０が装填されたときの横断面図、図９は薄型カード３０が装填されたときの横断面図である。
【００１８】
このカードコネクタ１は、携帯電話機、ＰＤＡ、携帯型オーディオ、カメラ等の電子機器に配設されるものである。
【００１９】
このカードコネクタ１は、樹脂材料などの絶縁体によって成形加工されたコネクタハウジング２を有している。コネクタハウジング２は、上板３、下板４、側面板５、後面板６、前面板７によって形成されている。図３に示すように、ハウジング上板３には、厚型カード２０の装填時、このカード用のコンタクト端子の先端を弾性変形の際に上方に逃がすための逃げ孔４０が複数個形成されている。
【００２０】
コネクタハウジング２の前面板７には、先に示した二種類のカード２０，３０をコネクタ内に装填するための共用かつ単一のカードスロット（挿入口）８を有している。
【００２１】
カードスロット８は、厚型カード２０用のスロット領域８ａと、薄型カード３０用のスロット領域８ｂを有している。これらスロット領域８ａおよび８ｂのうち、スロット領域８ａの下側領域は、二種類のカードで共用されている。
【００２２】
図４および図８に示すように、スロット８ａに続くハウジング奥方に、厚型カード２０用の第１カード収容部９が形成されている。また、図５および図９に示すように、スロット８ｂに続くハウジング奥方に、薄型カード３０用の第２カード収容部１９が形成されている。
【００２３】
まず、図４、図６および図８を参照して、厚型カード２０の装填部の構成について説明する。
【００２４】
図４に示すように、ハウジング上板３の内壁面には、片持ち状の接触バネ片で構成された複数のコンタクト端子５０を位置決めして圧入するための複数の溝４１が形成されている。
【００２５】
各コンタクト端子５０は、電子機器のプリント配線基板のコンタクトパッドに半田接続される端子部５０ａ、溝４１内で固定させるための固定部５０ｂ、弾性的に変位してカード１０または２０のコンタクトパッドと当接する接触ばね片部５０ｃ、下方に突出した接点部５０ｄを有している（図８参照）。
【００２６】
第１カード収容部９に隣接する側板５内に形成されたハウジング側壁部４２には、先端当接部の位置がずれるように配設された２つの片持ち状の接触ばね片５５および５６が設けられている。これら２つの接触ばね片５５および５６はその接離によってカードの種類を認識する一方のカード種類認識スイッチＳＷ１を構成する。また、コネクタハウジング２をプリント基板に固定するために使われる固定金属片５８と、上記カード種類認識スイッチＳＷ１を構成する一方の接触バネ片５５とで厚型カード２０のライトプロテクトボタン２６の位置を検出するライトプロテクト検出スイッチＳＷ３を構成する。
【００２７】
第１カード収容部９には、挿入された厚型カード２０を突き当てる突き当て壁４３が形成され、かつこの突き当て壁４３の一方の角部には、カード２０の面取り部２２を突き当てるべく突出されたコーナ壁５３が形成されている。
【００２８】
第１カード収容部９には、図４および図６に示すように、厚型カード２０の挿脱を案内する側壁４４ａ，４４ｂが左右両側に形成されている。一方の側壁４４ａはカードスロット２ａからコーナ壁５３まで延在し、他方の側壁４４ｂはカードスロット２ａから突き当て壁４３まで延在している。
【００２９】
さらに、第１カード収容部９の上方の両角部には、段部４５ａ，４５ｂが形成されており、図６に示すように、段部４５ａ，４５ｂの側面壁によって、厚型カード２０の下側本体部２３の側面を案内するようにしている。勿論、厚型カード２０は、側壁４４ａ，４４ｂによって案内されるので、厚型カード２０の下側本体部２３が、単に段部４５ａ，４５ｂ間の空間に収容されるように段部４５ａ，４５ｂの寸法を設定してもよい。この場合、厚型カード２０の上方への移動は、上板３によって規制されている。
【００３０】
厚型カード２０は、コンタクトパッド２５が形成された面を上にしてコネクタ内に挿入される。
【００３１】
厚型カード２０がコネクタ１に挿入されると、図６および図８に示すように、カード２０の上側本体部２１の両側面は側壁４４ａ，４４ｂによって案内される。また、下側本体部２３は、段部４５ａ，４５ｂで挟まれた空間に収容される。すなわち、カード２０は、段部４５ａ，４５ｂによっても案内される。カード２０の上下方向への移動は、上板３，下板４、段部４５ａ，４５ｂの下面壁によって規制されている。
【００３２】
つぎに、図５、図７，および図９を参照して、薄型カード３０の装填部の構成について説明する。
【００３３】
図５に示すように、ハウジング下板４の内壁面には、片持ち状の接触バネ片で構成された、薄型カード３０用の複数のコンタクト端子６０が前記と同様にして配列されている。各コンタクト端子６０は、接触ばね片部の接点部がハウジング下板４から上方に突出するように配設されている。図９に示すように、ハウジング下板４にも、薄型カード３０の装填時、コンタクト端子６０の先端を下方に逃がすための逃げ孔５７が複数個形成されている。
【００３４】
また、ハウジング下板４の内壁面には、薄型カード３０のライトプロテクトパッド３４の有無を検出するための２つのコンタクト端子６５が配置されている。
【００３５】
カード前面板７に形成されたスロット８ｂに続いて形成された第２カード収容部１９には、挿入されたカード３０を突き当てる突き当て壁４７が形成されている。
【００３６】
第２カード収容部１９には、図７に示すように、薄型カード３０の挿脱を案内する側壁４８ａ，４８ｂが左右両側に形成されるとともに、カード３０の上方への移動を規制する壁面４９ａ，４９ｂが形成されている。壁面４９ａおよび側壁４８ａは側壁４４ａに続く段部となっており、壁面４９ｂおよび側壁４８ｂは側壁４４ｂに続く段部となっている。
【００３７】
また、ハウジング上板３の厚肉部を構成する壁面４９ａ（図７参照）には、上下に配設された一対の金属片８０、８１が設けられている。これら金属片８０、８１は、後述するように、薄型カード３０が挿入されたときにオンとなるものであり（接触する）、これら２つの金属片８０、８１はその接離によってカードの種類を認識するもう一方のカード種類認識スイッチＳＷ２を構成する。すなわち、前述した一対の接触ばね片５５および５６によって構成される第１のカード種類認識スイッチ（以下第１認識スイッチと略す）ＳＷ１と、金属片８０、８１によって構成される第２のカード種類認識スイッチ（以下第２認識スイッチと略す）ＳＷ２とにより、カードの種類を検出するカード種類認識スイッチを構成している。
【００３８】
薄型カード３０は、コンタクトパッド３２が形成された面を下にしてコネクタ内に挿入される。
【００３９】
薄型カード３０がコネクタ１に挿入されると、図７および図９に示すように、カード３０の両側面は側壁４８ａ，４８ｂによって案内される。また、下板４および壁面４９ａ，４９ｂによってカード３０の上下方向への移動が規制される。
【００４０】
このようにこのコネクタにおいては、厚型カード２０を収容するための第１カード収容部９および薄型カード３０を収容するための第２カード収容部１９を、それらの一部が両カードで共用されるようにコネクタハウジング内に形成することで、単一のカード挿入口８から各カードをコネクタ１内に装填できるようにしている。
【００４１】
つぎに、図１０〜図１６にしたがって本発明の要部であるカード種類認識スイッチに関してより詳細に説明する。
【００４２】
図１０は厚型カード２０がコネクタに装填された状態を示すもので、図１１は厚型カード２０がコネクタに装填される前の第１認識スイッチＳＷ１の状態を示すもので、図１２は厚型カード２０がコネクタに装填されたときの第１認識スイッチＳＷ１の状態を示すもので、図１３は薄型カード３０がコネクタに装填されたときの第１認識スイッチＳＷ１の状態を示すものである。
【００４３】
図１１に示すように、第１認識スイッチＳＷ１の一方の接触バネ片５５は、プリント基板のコンタクトパッドに半田付け固定される端部５５ａ、コネクタハウジング２に固定される固定部５５ｂ、カード側面に沿って延在するばね片部５５ｃ、他方の接触バネ片５６に接離する第１コンタクト部５５ｄ、各カード２０，３０の側面に当接するカード当接部５７ｅ、固定金属片５８に対し接離する第２コンタクト部（先端部）５５ｆを有する金属片で構成されており、固定部５６ｂが固定されることによって片持ち状に支持される。
【００４４】
第１認識スイッチＳＷ１の他方の接触バネ片５６は、プリント基板のコンタクトパッドに半田付け固定される端部５６ａ、コネクタハウジング２に固定される固定部５６ｂ、カード側面に沿って延在するばね片部５６ｃ、他方の接触バネ片５５と接離するコンタクト部５６ｄ、および各カード２０，３０の側面に当接するカード当接部５６ｅを有する金属片で構成されており、固定部５６ｂが固定されることによって片持ち状に支持される。
【００４５】
このような第１認識スイッチＳＷ１においては、カードが未装填のときには、図１１に示すように、一方の接触ばね片５６のカード当接部５６ｅがフリーの状態にあるので、接触ばね片５６のコンタクト部５６ｄと接触ばね片５５の第１コンタクト部５５ｄとは非接触の状態にあり、第１認識スイッチＳＷ１はオフである。
【００４６】
厚型カード２０が装填されると、図１０および図１２に示すように、第１認識スイッチＳＷ１の一方の接触ばね片５６のカード当接部５６ｅが厚型カード２０の側面に当接して押圧される。したがって、接触ばね片５６のコンタクト部５６ｄが他方の接触バネ片５５の方に変位し、接触ばね片５６のコンタクト部５６ｄと接触ばね片５５の第１コンタクト部５５ｄとが接触し、第１認識スイッチＳＷ１はオンになる。
【００４７】
なお、この厚型カード２０の装填時、接触バネ片５５はライトプロテクトボタン２６のスライド位置に応じてカード接離方向に変位するので、接触バネ片５５の先端部５５ｆもライトプロテクトボタン２６のスライド位置に応じて固定金属片５８に対し接離する。したがった、この接離を電気的に検出することで、ライトプロテクトボタン２６のスライド位置を検出することができる。
【００４８】
薄型カード３０が装填されると、図１３に示すように、第１認識スイッチＳＷ１の一方の接触ばね片５６のカード当接部５６ｅが薄型カード３０の側面に当接して押圧されるので、第１認識スイッチＳＷ１は、厚型カード２０の場合と同様、オンになる。
【００４９】
図１４は、第２認識スイッチＳＷ２の詳細構成を示すもので、図１５は薄型カード３０が装填され前の第２認識スイッチＳＷ２の状態を示すもので、図１６は薄型カード３０が装填されたときの第２認識スイッチＳＷ２の状態を示すものである。
【００５０】
第２認識スイッチＳＷ２の２つの金属片８０、８１は上下に並接されており、一方の金属片８０は、プリント基板のコンタクトパッドに半田付け固定される端部８０ａ、コネクタハウジング２の上板３に固定される枠体固定部８０ｂ、この枠体固定部８０ｂの一端から片持ちはり状に延びるバネ片部８０ｃ、その先端のコンタクト部８０ｄを有している。
【００５１】
他方の金属片８１は、端部８１ａ、枠体固定部８１ｂ、この枠体固定部８１ｂの一端から片持ちはり状に延びるバネ片部８１ｃ、金属片８０と接触するコンタクト部８１ｄ、その先端で下方に突出するよう屈曲されて薄型カード２０の上面と当接するカード当接部８１ｅを有している。
【００５２】
このような第２認識スイッチＳＷ２においては、カードが未装填のときには、図１５に示すように、一方の接触ばね片８１のカード当接部８１ｅがフリーの状態にあるので、接触ばね片８１のコンタクト部８１ｄと接触ばね片８０のコンタクト部８０ｄとは非接触の状態にあり、第２認識スイッチＳＷ２はオフである。
【００５３】
厚型カード２０が装填された場合は、図１０に示すように、厚型カード２０はこの第２認識スイッチＳＷ２の位置までは侵入してこないので（この実施形態では第２認識スイッチＳＷ２カード幅方向に関しても厚型カード２０とは関係のない位置に配設されている）、第２認識スイッチＳＷ２はオフのままである。
【００５４】
薄型カード３０が装填されると、図１３および図１６に示すように、第２認識スイッチＳＷ２の一方の接触ばね片８１のカード当接部８１ｅが薄型カード３０の上面に当接して押圧されるので、接触ばね片８１のバネ片部８１ｃが上方に変位し、この結果接触ばね片８１のコンタクト部８１ｄが接触ばね片８０のコンタクト部８０ｄに接触する、これにより、第２認識スイッチＳＷ２はオンになる。
【００５５】
以上説明した２つのカード種別認識スイッチＳＷ１、ＳＷ２の状態変化をまとめると、図１７に示すようになる。
【００５６】
このようにこの実施形態においては、複数のスイッチＳＷ１、ＳＷ２を各カードの外形に応じて異なる位置に配設するとともに、これら複数のスイッチＳＷ１、ＳＷ２のオンオフの組み合わせを判定することにより挿入されたカードの種類を認識するようにしている。したがって、一方のＳＷ１は、両方のカードでオンされるように配設しても、他のスイッチＳＷ２のオンオフ状態でカードの種類、カード装填の有無を検出できるようになる。よって、全てのスイッチを各カードに対応して異なる位置に配設しなくてもよくなり、コネクタの占有面積を小さくすることでき、各種電子機器の小型化に寄与する。
【００５７】
なお、上記実施形態において、薄型カード３０を上板３側に形成したコンタクト端子と接触させ、厚型カード２０を下板４側に形成したコンタクト端子と接触させるよう、各構成を上下反転させてカードコネクタ１を構成するようにしてもよい。
【００５８】
また、上記実施形態において、さらに他の種類のカードに対応できるよう、カードコネクタ構造を構成するようにしてもよい。
【００５９】
また、上記実施形態では、厚型カード２０としてＳＤカードを例にとり、薄型カード３０としてスマートメディアを例にとったが、本発明を他の任意の種類のカードに適用するようにしてもよい。
【００６０】
【発明の効果】
以上説明したようにこの発明によれば、各カードの外形に応じて異なる位置に配設され各カードの壁面による押圧力によってオンオフされる複数のスイッチのうちの１つのスイッチが所定のカードに形成されたライトプロテクトボタンのオンオフ状態を検出するライトプロテクトスイッチと共用され、複数のスイッチのオンオフの組み合わせを判定することにより、挿入されたカードの種類を認識するようにしたので、全てのスイッチを各カードに対応して異なる位置に配設しなくてもよくなり、コネクタの占有面積を小さくすることでき、各種電子機器の小型化に寄与する。
【図面の簡単な説明】
【図１】厚型カードを例示する斜視図である。
【図２】薄型カードを例示する斜視図である。
【図３】この発明に係るカードコネクタの実施形態に関してその外観構成を示す斜視図である。
【図４】この発明に係るカードコネクタの実施形態について、ハウジング上板側を示す断面図である。
【図５】この発明に係るカードコネクタの実施形態について、ハウジング下板側を示す断面図である。
【図６】この発明に係るカードコネクタの実施形態について厚型カードを挿入した状態を示す正面図である。
【図７】この発明に係るカードコネクタの実施形態について薄型カードを挿入した状態を示す正面図である。
【図８】この発明に係るカードコネクタの実施形態について厚型カードを挿入した状態を示す横断面図である。
【図９】この発明に係るカードコネクタの実施形態について薄型カードを挿入した状態を示す横断面図である。
【図１０】この発明に係るカードコネクタの実施形態について厚型カードを挿入した状態を示す断面図である。
【図１１】厚型カードを挿入する前のカード種類認識スイッチＳＷ１の状態を示す断面図である。
【図１２】厚型カードを挿入した後のカード種類認識スイッチＳＷ１の状態を示す断面図である。
【図１３】この発明に係るカードコネクタの実施形態について薄型カードを挿入した状態を示す断面図である。
【図１４】カード種類認識スイッチＳＷ１の拡大斜視図である。
【図１５】薄型カードを挿入する前のカード種類認識スイッチＳＷ２の状態を示す断面図である。
【図１６】薄型カードを挿入した後のカード種類認識スイッチＳＷ２の状態を示す断面図である。
【図１７】カード種類認識スイッチＳＷ１，ＳＷ２の状態変化を示す表図である。
【符号の説明】
１  カードコネクタ
２  コネクタハウジング
３  上板
４  下板
５  側面板
６  後面板
７  前面板
８  カードスロット
９  第１カード収容部
１９  第２カード収容部
２０  厚型カード
２１  上側本体部
２２  面取り部
２３  下側本体部
２４  凹部
２５  コンタクトパッド
２６  ライトプロテクトボタン
３０  薄型カード
３１  カード本体
３２  コンタクトエリア
３３  面取り部
３４  ライトプロテクトパッド
４０  逃げ孔
４１  溝
４２  ハウジング側壁部
４３  突き当て壁
４４ａ  側壁
４４ｂ  側壁
４５ａ  段部
４５ｂ  段部
４７  突き当て壁
４８ａ  側壁
４８ｂ  側壁
４９ａ  壁面
４９ｂ  壁面
５０  コンタクト端子
５３  コーナ壁
５５  接触ばね片
５６  接触ばね片
５７  逃げ孔
５８  固定金属片
６０  コンタクト端子
８０  金属片
８１  金属片
ＳＷ１  カード種類認識スイッチ
ＳＷ２  カード種類認識スイッチ
【図１】
0003640343.tif 000002
【図２】
0003640343.tif 000003
【図３】
0003640343.tif 000004
【図４】
0003640343.tif 000005
【図５】
0003640343.tif 000006
【図６】
0003640343.tif 000007
【図７】
0003640343.tif 000008
【図８】
0003640343.tif 000009
【図９】
0003640343.tif 000010
【図１０】
0003640343.tif 000011
【図１１】
0003640343.tif 000012
【図１２】
0003640343.tif 000013
【図１３】
0003640343.tif 000014
【図１４】
0003640343.tif 000015
【図１５】
0003640343.tif 000016
【図１６】
0003640343.tif 000017
【図１７】
0003640343.tif 000018